(57)【要約】【課題】位相差層の視角依存を抑え、視角特性の良好な液晶表示装置、電子機器を提供すること。【解決手段】液晶表示装置１００は、第１の基板１０上に位置し、互いに重なるように配置されそれぞれが光または熱硬化性材料が硬化されて形成された第１の位相差層４２と第２の位相差層４４とを含む積層体４０を備え、第１の位相差層４２の層厚方向における第２の位相差層４４側から他方の側への光または熱硬化性材料の分子の配向分布と、第２の位相差層４４の層厚方向における第１の位相差層４２側から他方の側への光または熱硬化性材料の分子の配向分布と、が互いの境界に対してほぼ対称であることを特徴とする。【選択図】図１
2008310096.tif 000002
【特許請求の範囲】
【請求項１】
一対の基板と前記一対の基板の間に位置した液晶層とを備え、一つの画素領域内に透過表示部と反射表示部とを有する半透過反射型の液晶表示装置であって、
前記一対の基板の一方の基板上に位置し、互いに重なるように配置されそれぞれが光または熱硬化性材料が硬化されて形成された第１の位相差層と第２の位相差層とを含む積層体を備え、
前記第１の位相差層の層厚方向における前記第２の位相差層側から他方の側への前記光または熱硬化性材料の分子の配向分布と、前記第２の位相差層の層厚方向における前記第１の位相差層側から他方の側への前記光または熱硬化性材料の分子の配向分布と、が互いの境界に対してほぼ対称であることを特徴とする液晶表示装置。
【請求項２】
請求項１に記載の液晶表示装置であって、
前記第１の位相差層において、前記第２の位相差層側の前記光または熱硬化性材料の分子のプレチルト角は他方の側の前記光または熱硬化性材料の分子のプレチルト角よりも大きく、
前記第２の位相差層において、前記第１の位相差層側の前記光または熱硬化性材料の分子のプレチルト角は他方の側の前記光または熱硬化性材料の分子のプレチルト角よりも大きいことを特徴とする液晶表示装置。
【請求項３】
請求項１に記載の液晶表示装置であって、
前記第１の位相差層において、前記第２の位相差層側の前記光または熱硬化性材料の分子のプレチルト角は他方の側の前記光または熱硬化性材料の分子のプレチルト角よりも小さく、
前記第２の位相差層において、前記第１の位相差層側の前記光または熱硬化性材料の分子のプレチルト角は他方の側の前記光または熱硬化性材料の分子のプレチルト角よりも小さいことを特徴とする液晶表示装置。
【請求項４】
請求項１から３のいずれか１項に記載の液晶表示装置であって、
前記第１の位相差層の配向を規制する方向と前記第２の位相差層の配向を規制する方向とは互いに反平行であることを特徴とする液晶表示装置。
【請求項５】
請求項１から４のいずれか１項に記載の液晶表示装置であって、
前記積層体は、前記第１の位相差層の配向を規制する第１の配向膜と前記第２の位相差層の配向を規制する第２の配向膜とをさらに備え、前記一方の基板側から前記第１の配向膜と前記第１の位相差層と前記第２の配向膜と前記第２の位相差層とが順に積層されていることを特徴とする液晶表示装置。
【請求項６】
請求項５に記載の液晶表示装置であって、
前記積層体は、前記第１の位相差層と前記第２の配向膜との間に前記第１の位相差層を覆う保護膜をさらに備えていることを特徴とする液晶表示装置。
【請求項７】
請求項１から６のいずれか１項に記載の液晶表示装置であって、
前記積層体の前記第１の位相差層と前記第２の位相差層とが、前記反射表示部の領域に重なるように選択的に配置されていることを特徴とする液晶表示装置。
【請求項８】
請求項７に記載の液晶表示装置であって、
前記積層体の前記透過表示部の領域に重なる領域は、光学的等方性を有していることを特徴とする液晶表示装置。
【請求項９】
請求項１から８のいずれか１項に記載の液晶表示装置であって、
前記積層体が前記一方の基板の前記液晶層側に位置していることを特徴とする液晶表示装置。
【請求項１０】
請求項１から８のいずれか１項に記載の液晶表示装置であって、
前記一方の基板が前記液晶表示装置の観察側に位置しており、
前記積層体が前記一方の基板の観察側に位置していることを特徴とする液晶表示装置。
【請求項１１】
請求項１から１０のいずれか１項に記載の液晶表示装置を備えたことを特徴とする電子機器。
【発明の詳細な説明】
【技術分野】
【０００１】
本発明は、液晶表示装置、および電子機器に関する。
【背景技術】
【０００２】
一つの画素領域内に透過表示部と反射表示部とを有する半透過反射型液晶表示装置の形態の一つとして、液晶層を挟持する上基板と下基板とのうち下基板の反射表示部の領域の液晶層側に反射層を設け、上基板と下基板との外側（液晶層の反対側）の全面にそれぞれ位相差板を配置する構成が提案されている。この構成では、本来位相差板がなくてもよい透過表示部にも位相差板が配置されるため、反射表示部に比べて透過表示部の表示品位が低下するという課題があった。
【０００３】
これに対し、他の形態として、下基板の反射表示部の領域に設けられた反射層上に位相差層を配置する構成が提案されている（例えば特許文献１）。また、位相差層を上基板の反射層に対向する側に配置する構成が提案されている（例えば特許文献２）。どちらの構成においても、位相差層は反射表示部の領域に配置されており、これにより上述の課題を解決しようとしている。
【０００４】
位相差層は、一般的に、液晶材料を配向させた状態で硬化させることにより形成される。従来の位相差層の構成について、図１２を参照して説明する。ただし、図１２は、位相差層となる液晶材料が硬化する前の状態を模式的に示している。ここでは、前述の位相差層となる液晶材料が硬化する前の状態を液晶材料層と呼ぶこととする。
【０００５】
図１２に示すように、基板６０２上に設けられた配向膜６０４上に液晶材料層６０６が配置されている。基板６０２は、液晶表示装置を構成する一対の基板のいずれか一方の基板である。配向膜６０４には、液晶材料層６０６の配向を規制する処理が施されている。液晶材料層６０６中の液晶分子６０６ａは、配向膜６０４の配向規制力により配向している。このように、液晶分子６０６ａが配向している状態で液晶材料層６０６を硬化させることにより、位相差層が形成される。
【０００６】
【特許文献１】特開２００３−２７９９５７号公報
【特許文献２】特開２００５−３３８２５６号公報
【発明の開示】
【発明が解決しようとする課題】
【０００７】
しかしながら、液晶材料層６０６中の液晶分子６０６ａに対する配向規制力は、配向膜６０４との界面から遠ざかるにつれて弱くなる。このため、液晶が水平に配向する処理を配向膜に施した場合、配向膜６０４との界面近傍の液晶分子６０６ａは配向膜６０４の面に対してほぼ水平に配向しているが、配向膜６０４との界面から遠ざかるにつれて液晶分子６０６ａは配向膜６０４の面に対して水平な方向から垂直な方向に徐々に向きを変えて配向する場合がある。このような状態で液晶材料層６０６が硬化され位相差層が形成されると視角依存が生じてしまい、その結果、液晶表示装置の視角特性が低下するという課題があった。
【０００８】
本発明は、上述の課題の少なくとも一部を解決するためになされたものであり、以下の形態または適用例として実現することが可能である。
【課題を解決するための手段】
【０００９】
［適用例１］本適用例にかかる液晶表示装置は、一対の基板と前記一対の基板の間に位置した液晶層とを備え、一つの画素領域内に透過表示部と反射表示部とを有する半透過反射型の液晶表示装置であって、前記一対の基板の一方の基板上に位置し、互いに重なるように配置されそれぞれが光または熱硬化性材料が硬化されて形成された第１の位相差層と第２の位相差層とを含む積層体を備え、前記第１の位相差層の層厚方向における前記第２の位相差層側から他方の側への前記光または熱硬化性材料の分子の配向分布と、前記第２の位相差層の層厚方向における前記第１の位相差層側から他方の側への前記光または熱硬化性材料の分子の配向分布と、が互いの境界に対してほぼ対称であることを特徴とする。
【００１０】
この構成によれば、第１の位相差層の層厚方向における光または熱硬化性材料の分子の配向分布と、第２の位相差層の層厚方向における光または熱硬化性材料の分子の配向分布とは、互いに対向する側から他方の側に向かってほぼ対称である。このため、第１の位相差層と第２の位相差層とのそれぞれにおいて、それぞれの光または熱硬化性材料の分子の配向が層厚方向に沿って変化することにより視角依存が生じても、第１の位相差層と第２の位相差層とのそれぞれの視角依存は互いに補い合う。したがって、第１の位相差層と第２の位相差層とを含むことで積層体の視角依存性が抑えられるので、視角特性の良好な液晶表示装置を提供できる。
【００１１】
［適用例２］上記適用例にかかる液晶表示装置であって、前記第１の位相差層において、前記第２の位相差層側の前記光または熱硬化性材料の分子のプレチルト角は他方の側の前記光または熱硬化性材料の分子のプレチルト角よりも大きく、前記第２の位相差層において、前記第１の位相差層側の前記光または熱硬化性材料の分子のプレチルト角は他方の側の前記光または熱硬化性材料の分子のプレチルト角よりも大きくてもよい。
【００１２】
この構成によれば、積層体の層厚方向の一方の側と他方の側との両側の界面近傍において、光または熱硬化性材料の分子がそれぞれの界面に対してほぼ水平な方向に配向する。このため、積層体は、液晶層の液晶分子を基板面に対して水平な方向に配向させる液晶表示装置に適合する。
【００１３】
［適用例３］上記適用例にかかる液晶表示装置であって、前記第１の位相差層において、前記第２の位相差層側の前記光または熱硬化性材料の分子のプレチルト角は他方の側の前記光または熱硬化性材料の分子のプレチルト角よりも小さく、前記第２の位相差層において、前記第１の位相差層側の前記光または熱硬化性材料の分子のプレチルト角は他方の側の前記光または熱硬化性材料の分子のプレチルト角よりも小さくてもよい。
【００１４】
この構成によれば、積層体の層厚方向の一方の側と他方の側との両側の界面近傍において、光または熱硬化性材料の分子がそれぞれの界面に対してほぼ垂直な方向に配向する。このため、積層体は、液晶層の液晶分子を基板面に対して垂直な方向に配向させる液晶表示装置に適合する。
【００１５】
［適用例４］上記適用例にかかる液晶表示装置であって、前記第１の位相差層の配向を規制する方向と前記第２の位相差層の配向を規制する方向とは互いに反平行であってもよい。
【００１６】
この構成によれば、第１の位相差層の光または熱硬化性材料の分子と、第２の位相差層の光または熱硬化性材料の分子とを、互いに対向する側から他方の側に向かう層厚方向に沿ってほぼ対称となるよう配向できる。
【００１７】
［適用例５］上記適用例にかかる液晶表示装置であって、前記積層体は、前記第１の位相差層の配向を規制する第１の配向膜と前記第２の位相差層の配向を規制する第２の配向膜とをさらに備え、前記一方の基板側から前記第１の配向膜と前記第１の位相差層と前記第２の配向膜と前記第２の位相差層とが順に積層されていてもよい。
【００１８】
この構成によれば、第１の配向膜と第２の配向膜とを備えることにより、第１の位相差層と第２の位相差層とのそれぞれの配向を規制できる。
【００１９】
［適用例６］上記適用例にかかる液晶表示装置であって、前記積層体は、前記第１の位相差層と前記第２の配向膜との間に前記第１の位相差層を覆う保護膜をさらに備えていてもよい。
【００２０】
この構成によれば、第１の位相差層上に第２の配向膜を設ける際に、第１の位相差層の表面を保護膜で覆うことにより保護できる。
【００２１】
［適用例７］上記適用例にかかる液晶表示装置であって、前記積層体の前記第１の位相差層と前記第２の位相差層とが、前記反射表示部の領域に重なるように選択的に配置されていてもよい。
【００２２】
この構成によれば、位相差層を必要としない透過表示部の領域には位相差層が配置されない。このため、透過表示部の明るさと視角特性を低下させることがない。
【００２３】
［適用例８］上記適用例にかかる液晶表示装置であって、前記積層体の前記透過表示部の領域に重なる領域は、光学的等方性を有していてもよい。
【００２４】
この構成によれば、位相差層を必要としない透過表示部の領域の部分の光または熱硬化性材料を等方化することで、この部分の光または熱硬化性材料を除去する工程を不要にできる。
【００２５】
［適用例９］上記適用例にかかる液晶表示装置であって、前記積層体が前記一方の基板の前記液晶層側に位置していてもよい。
【００２６】
この構成によれば、積層体による視差を抑えることができる。また、液晶層の反射表示部の領域における層厚を、積層体の層厚により調整できる。
【００２７】
［適用例１０］上記適用例にかかる液晶表示装置であって、前記一方の基板が前記液晶表示装置の観察側に位置しており、前記積層体が前記一方の基板の観察側に位置していてもよい。
【００２８】
この構成によれば、積層体は一対の基板と液晶層とで構成される液晶セルの外部に配置される。このため、液晶セルの光学設計を積層体の光学設計と独立に行うことができる。
【００２９】
［適用例１１］本適用例にかかる電子機器は、上記液晶表示装置を備えたことを特徴とする。
【００３０】
この構成によれば、視角特性の良好な液晶表示装置を備えた電子機器を提供できる。
【発明を実施するための最良の形態】
【００３１】
以下に、本実施の形態について図面を参照して説明する。なお、参照する各図面において、構成をわかりやすく示すため、各構成要素の層厚や寸法の比率は適宜異ならせてある。また、参照する各図面において、素子、配線、接続部等を省略してある。
【００３２】
（第１の実施形態）
まず、第１の実施形態に係る液晶表示装置の構成について図を参照して説明する。図１は、第１の実施形態に係る液晶表示装置の概略構成を示す図である。図１は、図３のＡ−Ａ’線に沿った断面図でもある。図２は、第１の実施形態に係る積層体の構成を説明する図である。図３は、図１の上側から見た平面図である。なお、図３は積層体と画素との位置関係を説明する図であり、位置関係の説明に必要な構成要素のみを図示している。
【００３３】
図１に示すように、本実施形態に係る液晶表示装置１００は、透過表示部Ｔと反射表示部Ｒとを有する半透過反射型の液晶表示装置である。本実施形態においては、液晶表示装置１００が、ＦＦＳ（Fringe-Field Switching）方式の半透過反射型液晶表示装置である場合を例にとり説明する。液晶表示装置１００は、一対の基板としての第１の基板１０と第２の基板２０と、液晶層３０と、第１の位相差層４２と第２の位相差層４４とを含む積層体４０と、を備えている。
【００３４】
第１の基板１０は、液晶表示装置１００の観察側に位置している。第１の基板１０は、第１の基材１１と、カラーフィルタ層１２と、保護層１３と、を備えている。第１の基材１１は、透明な材料からなる。第１の基材１１の材料は、例えばガラスである。カラーフィルタ層１２と保護層１３とは、第１の基材１１の第２の基板２０に対向する側に順に積層されている。カラーフィルタ層１２は、例えば、Red、Green、Blueの３色の色要素を含んでいる。第１の基板１０の他方の側、すなわち液晶表示装置１００の観察側には、第１の偏光板１８が配置されている。
【００３５】
積層体４０は、第１の基板１０上の第２の基板２０に対向する側、すなわち液晶層３０側に位置しており、反射表示部Ｒの領域に重なるように選択的に配置されている。積層体４０は、第１の基板１０上に順に積層された、第１の配向膜４６と、第１の位相差層４２と、第２の配向膜４８と、第２の位相差層４４と、で構成されている。
【００３６】
第１の位相差層４２と第２の位相差層４４とは、複屈折性を有する光硬化性材料または熱硬化性材料からなる。光硬化性材料の一例として、光反応性のアクリル基を分子末端に有する液晶を用いることができる。ただし、第１の位相差層４２の材料と第２の位相差層４４の材料とでは、それぞれの分子の配向方向の分布が異なっている。より具体的には、第１の位相差層４２の材料中の分子は、第１の配向膜４６との界面近傍では第１の配向膜４６に対してほぼ水平な方向に配向する。一方、第２の位相差層４４の材料中の分子は、第２の配向膜４８との界面近傍では第２の配向膜４８に対してほぼ垂直な方向に配向する。
【００３７】
第１の位相差層４２と第２の位相差層４４とのそれぞれは入射される可視光の波長に対し所定の位相差を付与する。積層体４０は、第１の位相差層４２と第２の位相差層４４とを含むことにより一つの位相差層として機能する。積層体４０は、例えば、入射される可視光に対し１／２波長分の位相差を付与する。
【００３８】
第１の配向膜４６と第２の配向膜４８とは、例えばポリイミド系樹脂からなる。第１の配向膜４６は第１の位相差層４２の配向を規制しており、第２の配向膜４８は第２の位相差層４４の配向を規制している。第１の位相差層４２の配向を規制する方向と第２の位相差層４４の配向を規制する方向とは互いに反平行である。
【００３９】
次に、図２を参照して、積層体４０の構成についてさらに説明する。図２では、第１の位相差層４２と第２の位相差層４４との材料である光反応性のアクリル基を分子末端に有する液晶が硬化する前の配向状態を模式的に示している。第１の液晶材料層４１が硬化後の第１の位相差層４２に対応し、第２の液晶材料層４３が硬化後の第２の位相差層４４に対応している。
【００４０】
第１の配向膜４６には、図のＸ軸に沿った方向にラビング処理が施されている。このラビング処理の方向は、積層体４０の遅相軸４０ａ（図４参照）の方向である。第１の液晶材料層４１中の液晶分子４１ａは、第１の配向膜４６の配向規制力により配向している。液晶分子４１ａは、第１の配向膜４６との界面近傍では第１の配向膜４６に対してほぼ水平な方向に配向する。第１の配向膜４６の液晶分子４１ａに対する配向規制力は、第１の配向膜４６との界面から遠ざかるにつれて弱くなる。
【００４１】
このため、液晶分子４１ａは、第１の配向膜４６との界面から図のＹ軸に沿った方向に遠ざかるにつれて、すなわち第２の液晶材料層４３に近づくにつれて、第１の配向膜４６に対して水平な方向から垂直な方向に徐々に傾斜していく。この結果、第１の液晶材料層４１において、第２の液晶材料層４３側の液晶分子４１ａのプレチルト角は第１の配向膜４６側の液晶分子４１ａのプレチルト角よりも大きくなる。
【００４２】
一方、第２の配向膜４８には、第１の配向膜４６のラビング処理の方向に対して反平行な方向にラビング処理が施されている。第２の液晶材料層４３中の液晶分子４３ａは、第２の配向膜４８の配向規制力により配向している。液晶分子４３ａは、第２の配向膜４８との界面近傍では、第２の配向膜４８に対してほぼ垂直な方向に配向する。ただし、液晶分子４３ａは、ラビング処理の効果により時計回り方向に少し傾いている。第２の配向膜４８の液晶分子４３ａに対する配向規制力は、第２の配向膜４８との界面から遠ざかるにつれて弱くなる。
【００４３】
このため、液晶分子４３ａは、第２の配向膜４８との界面から遠ざかるにつれて、第２の配向膜４８に対して垂直な方向から水平な方向に徐々に傾斜していく。この結果、第２の液晶材料層４３において、第１の液晶材料層４１側の液晶分子４３ａのプレチルト角は他方の側の液晶分子４３ａのプレチルト角よりも大きくなる。
【００４４】
以上により、積層体４０において、第１の位相差層４２の層厚方向における第２の位相差層４４側から他方の側への液晶分子４１ａの配向分布と、第２の位相差層４４の層厚方向における第１の位相差層４２側から他方の側への液晶分子４３ａの配向分布と、は互いの境界、すなわち第２の配向膜４８に対してほぼ対称となる。
【００４５】
この構成によれば、第１の位相差層４２と第２の位相差層４４とのそれぞれにおいて、それぞれの液晶の分子の配向が層厚方向に沿って変化することにより視角依存が生じても、第１の位相差層４２と第２の位相差層４４とのそれぞれの視角依存は互いに補い合う。したがって、第１の位相差層４２と第２の位相差層４４とを含むことで積層体４０の視角依存性が抑えられるので、視角特性の良好な液晶表示装置１００を提供できる。
【００４６】
また、積層体４０の液晶層３０（図１参照）側に位置する第２の位相差層４４において、液晶分子４３ａは液晶層３０側の界面近傍と第１の基板１０側の界面近傍とで界面に対してほぼ水平な方向に配向する。このため、積層体４０は、液晶層３０の液晶分子を第１の基板１０の面に対して水平な方向に配向させる液晶表示装置に適している。
【００４７】
次に、積層体４０を形成する方法を説明する。ここでは、第１の位相差層４２と第２の位相差層４４との材料として光反応性のアクリル基を分子末端に有する液晶を用いる場合を例にとり説明する。
【００４８】
まず、第１の基板１０上の反射表示部Ｒの領域と透過表示部Ｔの領域とに亘って第１の配向膜４６を形成する。第１の配向膜４６を形成する方法は、例えばスピンコート法を適用する。続いて、形成した第１の配向膜４６に、ラビング法により配向処理を施す。
【００４９】
次に、第１の配向膜４６上に第１の位相差層４２を形成する。第１の位相差層４２を形成する方法は、まず、光反応性のアクリル基を分子末端に有する液晶と反応開始剤を含む有機溶媒とからなる第１の液晶材料層４１を、第１の配向膜４６上に配置する。第１の液晶材料層４１を配置する方法は、例えば液滴吐出法を適用する。このとき、第１の液晶材料層４１中の液晶分子４１ａは、第１の配向膜４６の配向規制力により上述のように配向する。
【００５０】
次に、第１の液晶材料層４１を加熱して有機溶媒を取り除く。続いて、第１の液晶材料層４１に紫外光を照射する。このとき、第１の液晶材料層４１の反射表示部Ｒの領域のみに紫外光が照射されるように、第１の液晶材料層４１の反射表示部Ｒの領域以外の部分をマスキングする。これにより、第１の液晶材料層４１のうち反射表示部Ｒの領域において、液晶分子４１ａのアクリル基が光重合され硬化される。なお、この時点では、第１の液晶材料層４１のうち第１の位相差層４２を形成する領域以外の部分は液晶状態を維持している。
【００５１】
次に、第１の液晶材料層４１の反射表示部Ｒの領域以外の部分を、例えば有機溶媒により除去する。これにより、第１の位相差層４２が反射表示部Ｒの領域に形成される。
【００５２】
次に、同様にして、第１の位相差層４２上に第２の配向膜４８と第２の位相差層４４とを形成する。以上により、積層体４０が形成される。なお、第１の液晶材料層４１と第２の液晶材料層４３とのそれぞれの層厚は、第１の位相差層４２と第２の位相差層４４とが形成された時に、第１の位相差層４２と第２の位相差層４４とを含む積層体４０に所定の位相差が付与されるように適宜調整する。
【００５３】
この構成によれば、位相差層の材料を１回で配置して位相差層を形成する場合に比べ、位相差層の材料をより薄い複数の層に分けて複数回配置して一つの位相差層を形成するので、形成された位相差層の層厚の均一性が高められる。
【００５４】
図１に戻って、第２の基板２０は、液晶層３０を挟んで、第１の基板１０に対向するように位置している。第２の基板２０は、第２の基材２１と、第１の絶縁層２２と、反射層２３と、共通電極２４と、第２の絶縁層２５と、画素電極２６と、を備えている。第２の基材２１は、透明な材料からなる。第２の基材２１の材料は、例えばガラスである。第１の絶縁層２２は、第２の基材２１の第１の基板１０に対向する側を覆うように形成されている。第１の絶縁層２２の反射表示部Ｒの領域には、図示しないが、外光を散乱させるための凹凸形状が形成されている。
【００５５】
反射層２３は、第１の絶縁層２２上の反射表示部Ｒの領域に形成されている。反射層２３は、反射率の高い金属膜からなる。反射層２３の材料は、例えばアルミニウムである。反射層２３の材料は、ＡＰＣ（銀−パラジウム−銅の合金）であってもよい。共通電極２４は、反射表示部Ｒの領域と透過表示部Ｔの領域とに亘って形成されており、反射表示部Ｒの領域においては反射層２３上に形成され透過表示部Ｔの領域においては第１の絶縁層２２上に形成されている。共通電極２４は、例えばＩＴＯ（Indium Tin Oxide）からなる。
【００５６】
共通電極２４上には、その上面を覆うように第２の絶縁層２５が形成されている。さらに、第２の絶縁層２５上には、画素電極２６が形成されている。画素電極２６は、例えばＩＴＯ（Indium Tin Oxide）からなる。画素電極２６には、例えば、複数のスリット状の開口部２６ａが設けられている。第２の基板２０の第１の基板１０と反対の側には、第２の偏光板２９が配置されている。なお、第２の基板２０には、図示しないが、液晶層３０を駆動するための素子、配線パターン、接続部等が設けられている。
【００５７】
液晶層３０は、第１の基板１０と第２の基板２０との間に位置している。第１の基板１０の液晶層３０に対向する側には、保護層１３と積層体４０とを覆うように第３の配向膜３２が形成されている。また、第２の基板２０の液晶層３０に対向する側には、第２の絶縁層２５と画素電極２６とを覆うように、第４の配向膜３４が形成されている。液晶層３０は、第３の配向膜３２と第４の配向膜３４とに施された配向処理によって配向方向が規制されており、ホモジニアス配向している。
【００５８】
液晶層３０は、反射表示部Ｒの領域と透過表示部Ｔの領域とで層厚が異なる。具体的には、液晶層３０の反射表示部Ｒの領域における層厚は、液晶層３０の透過表示部Ｔの領域における層厚のほぼ１／２となっている。このことにより、液晶層３０は入射される可視光の波長に対して、反射表示部Ｒの領域において１／４波長分の位相差を付与し、透過表示部Ｔの領域において１／２波長分の位相差を付与する。
【００５９】
本実施形態では、液晶層３０の層厚は、積層体４０の層厚と保護層１３の層厚とにより調整されている。すなわち、液晶層３０の反射表示部Ｒの領域における層厚と透過表示部Ｔの領域における層厚とが所定の差を有するように、反射表示部Ｒの領域における積層体４０および保護層１３の層厚の合計と、透過表示部Ｔの領域における保護層１３の層厚と、の差が調整されている。積層体４０の層厚が、液晶層３０の反射表示部Ｒの領域における層厚と透過表示部Ｔの領域における層厚との所定の差にほぼ等しい場合は、保護層１３の層厚を反射表示部Ｒの領域と透過表示部Ｔの領域とで異ならせることが不要となる。
【００６０】
ここで、液晶表示装置１００の画素と積層体４０（第１の位相差層４２および第２の位相差層４４）との位置関係を、図３を用いて説明する。液晶表示装置１００は、複数の画素電極２６を備えている。複数の画素電極２６のそれぞれは、反射表示部Ｒの領域と透過表示部Ｔの領域とを有している。複数の画素電極２６は、例えばマトリックス状に配置されている。複数の画素電極２６は、Ｘ軸に沿った方向には反射表示部Ｒと透過表示部Ｔとが互いに対向するように隣接し、Ｙ軸に沿った方向には反射表示部Ｒ同士または透過表示部Ｔ同士が対向するように隣接している。
【００６１】
積層体４０（第１の位相差層４２および第２の位相差層４４）は、複数の画素電極２６のそれぞれの反射表示部Ｒの領域に重なるように配置されている。また、積層体４０は、Ｙ軸に沿った方向に複数の画素電極２６に亘って一列に配置されている。
【００６２】
複数の画素電極２６のそれぞれは、カラーフィルタ層１２（図１参照）のRed、Green、Blueの３色のいずれかに対応している。これらの３色のそれぞれと対応する３つの画素電極２６との組み合わせにより、３色のサブ画素２７Ｒ（Red）、２７Ｇ（Green）、２７Ｂ（Blue）がそれぞれ構成される。そして、これらのサブ画素２７Ｒ、２７Ｇ、２７Ｂの３つで一つの画素２８が構成される。したがって、一つの画素２８は、反射表示部Ｒの領域と透過表示部Ｔの領域とを有している。
【００６３】
次に、液晶表示装置１００の軸配置を説明する。図４は、液晶表示装置１００の軸配置を説明する図である。第１の偏光板１８の透過軸１８ａを図４（ａ）に示す。積層体４０の遅相軸４０ａは、図４（ｂ）に示すように、第１の偏光板１８の透過軸１８ａに対して時計回り方向に２２．５°ずれている。また、液晶層３０の配向方向３０ａは、図４（ｃ）に示すように、第１の偏光板１８の透過軸１８ａに対して時計回り方向に９０°ずれている。なお、図示しないが、第２の偏光板２９の透過軸は、第１の偏光板１８の透過軸１８ａに対して直交している。すなわち、第２の偏光板２９の透過軸は、液晶層３０の配向方向３０ａに平行である。
【００６４】
次に、液晶表示装置１００の表示原理を説明する。本実施形態では、液晶表示装置１００は、液晶層３０に電圧が印加されない状態が暗表示となる「ノーマリーブラック」型である。したがって、暗表示を行う場合は、液晶層３０に電圧が印加されない状態（非選択電圧印加状態）とする。
【００６５】
まず、反射表示部Ｒの領域においては、第１の偏光板１８の上方から入射した光は透過軸１８ａに平行な直線偏光となり、その状態で積層体４０（第１の位相差層４２および第２の位相差層４４）に入射する。積層体４０に入射した光は、積層体４０により振動方向の異なる直線偏光に変換され、液晶層３０に入射する。この液晶層３０に入射した直線偏光は、液晶層３０を通過することにより円偏光となる。この円偏光は、反射層２３（図１参照）で反射されることにより回転方向が反転した円偏光になり、次いで液晶層３０と積層体４０とを再び通過することにより透過軸１８ａに垂直な直線偏光となる。そして、透過軸１８ａに垂直な直線偏光は第１の偏光板１８に吸収されて第１の偏光板１８の上方（観察側）へ戻らないため、暗表示となる。
【００６６】
一方、透過表示部Ｔの領域においては、第２の偏光板２９（図１参照）の下方から入射した光は、第２の偏光板２９の透過軸に平行な直線偏光となり、液晶層３０に入射する。この直線偏光の振動方向は液晶層３０の配向方向３０ａに平行であり、液晶層３０によって位相差が付与されない。したがって、液晶層３０を通過した直線偏光は、第２の偏光板２９の透過軸に平行な状態のまま、すなわち第１の偏光板１８の透過軸１８ａに垂直な状態で、第１の偏光板１８に入射する。そして、透過軸１８ａに垂直な直線偏光は第１の偏光板１８に吸収されて第１の偏光板１８の上方（観察側）へ届かないため、暗表示となる。
【００６７】
次に、明表示を行う場合は、液晶層３０に電圧が印加された状態（選択電圧印加状態）とする。電圧が印加された状態において、液晶層３０における液晶分子は電界により第１の偏光板１８の透過軸１８ａに対し４５°に配向する。
【００６８】
まず、反射表示部Ｒの領域においては、積層体４０を出た偏光は、液晶層３０を通過し、偏光の状態を変えずに反射層２３で反射して、液晶層３０と積層体４０とを再び通過することにより透過軸１８ａに平行な直線偏光となる。そして、透過軸１８ａに平行な直線偏光は第１の偏光板１８を透過し、第１の偏光板１８の上方（観察側）へ戻るため、明表示となる。
【００６９】
一方、透過表示部Ｔの領域においては、第２の偏光板２９の下方から入射した光は、第２の偏光板２９の透過軸に平行な直線偏光となり、液晶層３０に入射する。この直線偏光の振動方向は液晶層３０の配向方向３０ａと４５°ずれており、液晶層３０によって１／２波長分の位相差が付与される。したがって、液晶層３０を通過した直線偏光は、第２の偏光板２９の透過軸に垂直な状態で、すなわち第１の偏光板１８の透過軸１８ａに平行な状態で、第１の偏光板１８に入射する。そして、透過軸１８ａに平行な直線偏光は第１の偏光板１８を透過し第１の偏光板１８の上方（観察側）へ届くため、明表示となる。
【００７０】
（第２の実施形態）
次に、第２の実施形態に係る液晶表示装置の構成について図を参照して説明する。なお、第１の実施形態と共通する構成要素については同一の符号を付しその説明を省略する。図５は、第２の実施形態に係る液晶表示装置が備える積層体の概略構成を示す図である。
【００７１】
本実施形態に係る液晶表示装置は、第１の実施形態に係る液晶表示装置１００とほぼ同様の構成を有しているが、積層体４０の代わりに積層体５０を備えている点が異なっている。図５に示すように、積層体５０は、第１の基板１０上に順に積層された、第１の配向膜５６と、第１の位相差層５２と、第２の配向膜５８と、第２の位相差層５４と、で構成されている。なお、図５は、第１の位相差層５２と第２の位相差層５４との材料である光反応性のアクリル基を分子末端に有する液晶が硬化する前の配向状態を模式的に示している。
【００７２】
第１の位相差層５２の材料となる液晶は、配向膜との界面近傍では配向膜に対してほぼ垂直な方向に配向する。一方、第２の位相差層５４の材料となる液晶は、配向膜との界面近傍では配向膜に対してほぼ水平な方向に配向する。第１の位相差層５２の配向分布は、積層体４０の第２の位相差層４４の配向分布と同じであり、第２の位相差層５４の配向分布は、積層体４０の第１の位相差層４２の配向分布と同じである。また、第１の配向膜５６の配向を規制する方向は、積層体４０の第２の配向膜４８の配向を規制する方向と同じであり、第２の配向膜５８の配向を規制する方向は、積層体４０の第１の配向膜４６の配向を規制する方向と同じである。すなわち、積層体５０は、積層体４０における第１の配向膜４６および第１の位相差層４２と第２の配向膜４８および第２の位相差層４４との位置が入れ替わった構成となっている。
【００７３】
第１の配向膜５６には、図のＸ軸に対して反平行な方向にラビング処理が施されている。第１の液晶材料層５１中の液晶分子５１ａは、第１の配向膜５６との界面近傍では第１の配向膜５６に対してほぼ垂直な方向に配向する。ただし、液晶分子５１ａは、ラビング処理の効果により時計回り方向に少し傾いている。液晶分子５１ａは、第１の配向膜５６との界面から図のＹ軸に沿った方向に遠ざかるにつれて、すなわち第２の液晶材料層５３に近づくにつれて、第１の配向膜５６に対して垂直な方向から水平な方向に徐々に傾斜していく。この結果、第１の液晶材料層５１において、第２の液晶材料層５３側の液晶分子５１ａのプレチルト角は第１の配向膜５６側の液晶分子５１ａのプレチルト角よりも小さくなる。
【００７４】
一方、第２の配向膜５８には、第１の配向膜５６のラビング処理の方向に対して反平行な方向にラビング処理が施されている。第２の液晶材料層５３中の液晶分子５３ａは、第２の配向膜５８との界面近傍では第２の配向膜５８に対してほぼ水平な方向に配向する。液晶分子５３ａは、第２の配向膜５８との界面から遠ざかるにつれて、第２の配向膜５８に対して水平な方向から垂直な方向に徐々に傾斜していく。この結果、第２の液晶材料層５３において、第１の液晶材料層５１側の液晶分子５３ａのプレチルト角は他方の側の液晶分子５３ａのプレチルト角よりも小さくなる。
【００７５】
以上により、積層体５０において、第１の位相差層５２の層厚方向における第２の位相差層５４側から他方の側への液晶分子５１ａの配向分布と、第２の位相差層５４の層厚方向における第１の位相差層５２側から他方の側への液晶分子５３ａの配向分布と、は互いの境界、すなわち第２の配向膜５８に対してほぼ対称となる。
【００７６】
この構成によれば、第１の位相差層５２と第２の位相差層５４とのそれぞれにおいて、それぞれの液晶の分子の配向が層厚方向に沿って変化することにより視角依存が生じても、第１の位相差層５２と第２の位相差層５４とのそれぞれの視角依存は互いに補い合う。したがって、第１の位相差層５２と第２の位相差層５４とを含むことで積層体５０の視角依存性が抑えられるので、視角特性の良好な液晶表示装置を提供できる。
【００７７】
また、積層体５０の液晶層３０（図１参照）側に位置する第２の位相差層５４において、液晶分子５３ａは液晶層３０側の界面近傍と第１の基板１０側の界面近傍とで界面に対してほぼ垂直な方向に配向する。このため、積層体５０は、液晶層３０の液晶分子を第１の基板１０の面に対して垂直な方向に配向させる液晶表示装置に適している。
【００７８】
（第３の実施形態）
次に、第３の実施形態に係る液晶表示装置の構成について図を参照して説明する。なお、第１の実施形態と共通する構成要素については同一の符号を付しその説明を省略する。図６は、第３の実施形態に係る液晶表示装置が備える積層体の概略構成を示す図である。
【００７９】
本実施形態に係る液晶表示装置は、第１の実施形態に係る液晶表示装置１００とほぼ同様の構成を有しているが、積層体４０の代わりに積層体６０を備えている点が異なっている。図６に示すように、積層体６０は、第１の基板１０上に順に積層された、第１の配向膜４６と、第１の位相差層４２と、保護膜６２と、第２の配向膜４８と、第２の位相差層４４と、で構成されている。すなわち、積層体６０は、積層体４０の第１の位相差層４２と第２の配向膜４８との間に第１の位相差層４２を覆う保護膜６２をさらに備えた構成となっている。
【００８０】
保護膜６２は無機材料からなる。保護膜６２の材料は、例えばＳｉＯ2である。保護膜６２は、例えばスパッタリング法を適用し、第２の配向膜４８が形成される前に第１の位相差層４２を覆うように形成される。保護膜６２は、積層体６０を形成する工程において、第１の位相差層４２を保護する機能を有する。例えば、第２の配向膜４８の材料としてポリイミド系樹脂を有機溶媒に溶解して用いる場合、第２の配向膜４８の材料を配置する際に、先に形成された第１の位相差層４２が第２の配向膜４８の材料に含まれる有機溶媒により溶解して損傷を受ける場合がある。このような場合に、保護膜６２を備えることにより、第１の位相差層４２を第２の配向膜４８の材料に含まれる有機溶媒から保護できる。
【００８１】
ここで、保護膜６２の材料は、第２の配向膜４８の材料との濡れ性が良いことが好ましい。保護膜６２の材料として、共通電極２４または画素電極２６と同じ材料、例えばＩＴＯ（Indium Tin Oxide）をより好適に用いることができる。保護膜６２の材料がＩＴＯであると、保護膜６２と第２の配向膜４８との濡れ性が向上する。これにより、保護膜６２上に第２の配向膜４８をより均一に形成できる。ただし、保護膜６２の材料としてＩＴＯのような導電性材料を用いる場合は、保護膜６２は第１の位相差層４２の上面のみに形成してもよい。
【００８２】
なお、図示しないが、第２の位相差層４４上に、第２の位相差層４４を保護するための保護膜をさらに形成してもよい。これによれば、第２の位相差層４４上に液晶層３０の配向を規制するための第３の配向膜３２（図１参照）を形成する際に、第２の位相差層４４を第３の配向膜３２の材料に含まれる有機溶媒から保護できる。
【００８３】
（第４の実施形態）
次に、第４の実施形態に係る液晶表示装置の構成について図を参照して説明する。なお、上述の実施形態と共通する構成要素については同一の符号を付しその説明を省略する。図７は、第４の実施形態に係る液晶表示装置の概略構成を示す図である。
【００８４】
本実施形態に係る液晶表示装置２００は、第１の実施形態に係る液晶表示装置１００に対し、積層体４０の代わりに反射表示部Ｒの領域と透過表示部Ｔの領域とに亘って配置された積層体７０を備えている点が異なっている。
【００８５】
図７に示すように、積層体７０は、第１の配向膜７６と、第１の位相差層４２と、第１の等方層７２と、第２の配向膜７８と、第２の位相差層４４と、第２の等方層７４と、で構成されている。第１の配向膜７６は、第１の基板１０上の反射表示部Ｒの領域と透過表示部Ｔの領域とに亘って形成されている。第１の位相差層４２は、第１の配向膜７６上の反射表示部Ｒの領域に設けられている。第１の等方層７２は、第１の配向膜７６上の透過表示部Ｔの領域に設けられている。第１の等方層７２の層厚は、第１の位相差層４２の層厚とほぼ同じである。
【００８６】
第２の配向膜７８は、第１の位相差層４２と第１の等方層７２との上に形成されている。第２の位相差層４４は、第２の配向膜７８上の反射表示部Ｒの領域に設けられている。第２の等方層７４は、第２の配向膜７８上の透過表示部Ｔの領域に設けられている。第２の等方層７４の層厚は、第２の位相差層４４の層厚とほぼ同じである。
【００８７】
第１の等方層７２と第２の等方層７４とは、光学的等方性を有している。第１の等方層７２は、第１の位相差層４２を形成する液晶材料が光学的に等方化されたものである。第２の等方層７４は、第２の位相差層４４を形成する液晶材料が光学的に等方化されたものである。第１の等方層７２と第２の等方層７４との形成方法を以下に説明する。なお、第１の実施形態と共通する事項は説明を省略する。
【００８８】
まず、第１の基板１０上に第１の配向膜７６を形成する。続いて、第１の配向膜７６上に配置した第１の液晶材料層４１のうち反射表示部Ｒの領域の液晶分子４１ａのアクリル基を光重合した後、第１の液晶材料層４１を加熱する。第１の液晶材料層４１を加熱する温度は、例えば１２０℃〜１８０℃とする。これにより、第１の液晶材料層４１の第１の位相差層４２の領域以外の部分、すなわち第１の等方層７２を配置する領域が等方化する。続いて、液晶材料層４１に紫外光を照射する。これにより、液晶材料層４１の第１の等方層７２を配置する部分が透明な状態で硬化する。この結果、第１の位相差層４２と第１の等方層７２とが形成される。
【００８９】
次に、同様にして、第１の位相差層４２と第１の等方層７２との上に第２の配向膜７６を形成した後、第２の配向膜７８の上に第２の位相差層４４と第２の等方層７４とを形成する。以上により、積層体７０が形成される。この構成によれば、第１の液晶材料層４１と第２の液晶材料層４３との反射表示部Ｒの領域以外の部分を除去する工程が不要となる。また、この除去する工程が不要となることで、除去する際に生じる場合がある液晶材料層の剥離を回避できる。
【００９０】
第２の基板２０において、第１の絶縁層２２の反射表示部Ｒの領域における層厚が、透過表示部Ｔの領域における層厚よりも厚くなっている。液晶層３０は、第１の基板１０上に位置する積層体７０と第２の基板２０との間に位置している。積層体７０の液晶層３０に対向する側には、第２の位相差層４４と第２の等方層７４とを覆うように第３の配向膜３６が形成されている。
【００９１】
本実施形態では、液晶層３０の層厚は、第１の絶縁層２２の層厚により調整されている。すなわち、液晶層３０の反射表示部Ｒの領域における層厚と透過表示部Ｔの領域における層厚とが所定の差を有するように、第１の絶縁層２２の反射表示部Ｒの領域における層厚と透過表示部Ｔの領域における層厚とが調整されている。
【００９２】
（第５の実施形態）
次に、第５の実施形態に係る液晶表示装置の構成について図を参照して説明する。なお、上述の実施形態と共通する構成要素については同一の符号を付しその説明を省略する。図８は、第５の実施形態に係る液晶表示装置の概略構成を示す図である。
【００９３】
本実施形態に係る液晶表示装置３００は、図８に示すように、第１の実施形態に係る液晶表示装置１００とほぼ同様の構成を有しているが、積層体４０が第１の基板１０の観察側に位置している点が異なっている。
【００９４】
積層体４０は、第１の基板１０の観察側、すなわち液晶層３０に対向していない側に位置している。第１の基板１０上の観察側の積層体４０が配置されていない領域には、透明層８０が設けられている。透明層８０は、第１の基板１０と第１の偏光板１８との間の積層体４０が配置されていない領域の空間を埋め、第１の偏光板１８を第１の基板１０にほぼ平行に配置するためのものである。したがって、透明層８０の層厚は積層体４０の層厚とほぼ同じである。透明層８０は、光学的等方性を有している。透明層８０は、例えば透明な樹脂からなる。透明層８０の材料の一例として、ＪＳＲ株式会社のＮＮ５２５Ｅを用いることができる。積層体４０と透明層８０との上には第１の偏光板１８が配置されている。
【００９５】
透明層８０は、第１の基板１０上に積層体４０を形成した後に、第１の基板１０上の積層体４０が配置されていない領域に、例えば液滴吐出法により透明層８０の材料を配置して形成する。透明層８０は、積層体４０を形成する前に形成してもよい。この場合は、第１の基板１０上に例えばスピンコート法により透明層８０の材料を配置した後、積層体４０を形成する領域の部分の透明層８０の材料を除去する。前述のいずれの場合においても、透明層８０の層厚が積層体４０の層厚と同じになるように調整する。
【００９６】
第１の基板１０の液晶層３０に対向する側には、保護層１３を覆うように第３の配向膜３８が形成されている。本実施形態では、液晶層３０の層厚は、保護層１３の層厚により調整されている。すなわち、液晶層３０の反射表示部Ｒの領域における層厚と透過表示部Ｔの領域における層厚とが所定の差を有するように、保護層１３の反射表示部Ｒの領域における層厚と透過表示部Ｔの領域における層厚とが調整されている。
【００９７】
この構成によれば、積層体４０が第１の基板１０と第２の基板２０と液晶層３０とで構成される液晶セルの外側に位置しているので、第１の基板１０と第２の基板２０と液晶層３０とで構成される液晶セルの光学設計を、積層体４０の光学設計と独立に行うことができる。また、積層体４０を形成する工程において使用される溶媒によるカラーフィルタ層１２への影響を低減できる。
【００９８】
（第６の実施形態）
次に、第６の実施形態に係る液晶表示装置の構成について図を参照して説明する。なお、上述の実施形態と共通する構成要素については同一の符号を付しその説明を省略する。図９は、第６の実施形態に係る液晶表示装置の概略構成を示す図である。
【００９９】
本実施形態に係る液晶表示装置４００は、図９に示すように、第５の実施形態に係る液晶表示装置３００とほぼ同様の構成を有しているが、積層体４０と透明層８０との代わりに積層体７０が設けられている点が異なっている。この構成によれば、第５の実施形態において得られる効果に加えて、透明層８０を形成する工程を不要にできる。
【０１００】
上述した実施形態では、ＦＦＳ方式の液晶表示装置を例にあげて説明したが、この構成に限定されず、例えば、ＩＰＳ（In-Plane Switching）方式の液晶表示装置に適用してもよいし、ＶＡ（Virtical Alignment）方式の液晶表示装置に適用してもよい。
【０１０１】
（電子機器）
上述した液晶表示装置１００、２００、３００、および４００は、例えば、図１０（ａ）に示すように、電子機器としての携帯電話機５００に搭載して用いることができる。携帯電話機５００は、表示部５０２に液晶表示装置１００、２００、３００、または４００のいずれかを備えている。この構成により、表示部５０２を有する携帯電話機５００は良好な視角特性が得られる。
【０１０２】
電子機器は、図１０（ｂ）に示すように、表示部５１２を有する電子ビューファインダ５１０であってもよい。また、電子機器は、図１１（ａ）に示すように、表示部５２２を有する車載用モニタ５２０であってもよいし、図１１（ｂ）に示すように、表示部５３２を有する携帯型ゲーム機５３０であってもよい。これらの電子機器はそれぞれ、表示部５１２、５２２、５３２に液晶表示装置１００、２００、３００、または４００のいずれかを備えている。電子機器は、モバイルコンピュータ、デジタルカメラ、デジタルビデオカメラ、オーディオ機器であってもよい。
【図面の簡単な説明】
【０１０３】
【図１】第１の実施形態に係る液晶表示装置の概略構成を示す図。
【図２】第１の実施形態に係る積層体の構成を説明する図。
【図３】図１の上側から見た平面図。
【図４】液晶表示装置の軸配置を説明する図。
【図５】第２の実施形態に係る液晶表示装置が備える積層体の概略構成を示す図。
【図６】第３の実施形態に係る液晶表示装置が備える積層体の概略構成を示す図。
【図７】第４の実施形態に係る液晶表示装置の概略構成を示す図。
【図８】第５の実施形態に係る液晶表示装置の概略構成を示す図。
【図９】第６の実施形態に係る液晶表示装置の概略構成を示す図。
【図１０】本実施の形態における電子機器の一例を示す図。
【図１１】本実施の形態における電子機器の一例を示す図。
【図１２】従来の位相差層の構成を説明する図。
【符号の説明】
【０１０４】
１０…第１の基板、１１…第１の基材、１２…カラーフィルタ層、１３…保護層、１８…第１の偏光板、１８ａ…透過軸、２０…第２の基板、２１…第２の基材、２２…第１の絶縁層、２３…反射層、２４…共通電極、２５…第２の絶縁層、２６…画素電極、２６ａ…開口部、２７Ｒ…サブ画素、２７Ｇ…サブ画素、２７Ｂ…サブ画素、２８…画素、２９…第２の偏光板、３０…液晶層、３０ａ…配向方向、３２…第３の配向膜、３４…第４の配向膜、３６…第３の配向膜、３８…第３の配向膜、４０…積層体、４０ａ…遅相軸、４１…第１の液晶材料層、４１ａ…液晶分子、４２…第１の位相差層、４３…第２の液晶材料層、４３ａ…液晶分子、４４…第２の位相差層、４６…第１の配向膜、４８…第２の配向膜、５０…積層体、５１…第１の液晶材料層、５１ａ…液晶分子、５２…第１の位相差層、５３…第２の液晶材料層、５３ａ…液晶分子、５４…第２の位相差層、５６…第１の配向膜、５８…第２の配向膜、６０…積層体、６２…保護膜、７０…積層体、７２…第１の等方層、７４…第２の等方層、７６…第１の配向膜、７８…第２の配向膜、８０…透明層、１００…液晶表示装置、２００…液晶表示装置、３００…液晶表示装置、４００…液晶表示装置、５００…携帯電話、５０２…表示部、５１０…電子ビューファインダ、５１２…表示部、５２０…車載用モニタ、５２２…表示部、５３０…携帯型ゲーム機、５３２…表示部、Ｒ…反射表示部、Ｔ…透過表示部。
【図１】
2008310096.tif 000003
【図２】
2008310096.tif 000004
【図３】
2008310096.tif 000005
【図４】
2008310096.tif 000006
【図５】
2008310096.tif 000007
【図６】
2008310096.tif 000008
【図７】
2008310096.tif 000009
【図８】
2008310096.tif 000010
【図９】
2008310096.tif 000011
【図１０】
2008310096.tif 000012
【図１１】
2008310096.tif 000013
【図１２】
2008310096.tif 000014